(57)【要約】【課題】ユーザが番組をしばらく鑑賞してから番組を録画しようと決めるため、録画したマルチメディア番組のコンテンツが不完全なものとなる問題を解決する。【解決手段】本発明は、マルチメディア放送番組の録画方法及び装置を提供する。前記方法は、マルチメディア放送番組の再生中、録画コマンドを受信すると、モバイル端末に予め設定されたキャッシュ領域に格納された番組コンテンツを、モバイル端末の記憶装置に転送する。前記キャッシュ領域に格納された番組コンテンツは、前記録画コマンドを受信したときに再生されていた番組コンテンツである（１０１）。前記マルチメディア放送番組の再生中の、後続の番組コンテンツを前記記憶装置に録画する（１０２）。【選択図】図１
2013517715.tif 000002
【特許請求の範囲】
【請求項１】
マルチメディア放送番組の再生中、録画コマンドを受信すると、モバイル端末に設けられたキャッシュ領域に格納された番組コンテンツを、モバイル端末の記憶装置に転送し、前記キャッシュ領域に格納された番組コンテンツは、前記録画コマンドを受信したときに再生されていた番組コンテンツであり、
前記マルチメディア放送番組の再生中の、後続の番組コンテンツを前記記憶装置に録画する
マルチメディア放送番組の録画方法。
【請求項２】
さらに、前記キャッシュ領域におけるキャッシュ空間を、前記モバイル端末の現在残存する記憶空間以下に設定し、及び／又は
前記キャッシュ領域のキャッシュ時間を、予め設定されたキャッシュ時間以下に設定し、
前記予め設定されたキャッシュ時間は、前記モバイル端末の現在残存する記憶空間と、前記マルチメディア放送番組の空間最大占有率との比である
請求項１に記載の方法。
【請求項３】
前記番組コンテンツを前記キャッシュ領域に格納する方式は、キャッシュ領域全体スタックキャッシュ方式及び／又は分割型スタックキャッシュ方式である
請求項１に記載の方法。
【請求項４】
前記記憶装置は、前記モバイル端末の本体メモリ及び／又はプラグインタイプの補助メモリを含む
請求項１に記載の方法。
【請求項５】
さらに、録画終了後、前記記憶装置に転送された番組コンテンツと、録画された後続の番組コンテンツとを、１ファイルに結合する
請求項１に記載の方法。
【請求項６】
さらに、前記マルチメディア放送番組の再生が終了した後、前記キャッシュ領域におけるキャッシュ空間を解放する
請求項１〜５のいずれか１項に記載の方法。
【請求項７】
マルチメディア放送番組の再生中、録画コマンドを受信する受信モジュールと、
前記受信モジュールが前記録画コマンドを受信すると、モバイル端末に設けられたキャッシュ領域に格納された番組コンテンツを、モバイル端末の記憶装置に転送し、前記キャッシュ領域に格納された番組コンテンツは、前記録画コマンドを受信したときに再生されていた番組コンテンツである転送モジュールと、
前記マルチメディア放送番組の再生中の、後続の番組コンテンツを前記記憶装置に録画する録画モジュールと
を含むマルチメディア放送番組の録画装置。
【請求項８】
前記キャッシュ領域におけるキャッシュ空間を、前記モバイル端末の現在残存する記憶空間以下に設定する第１の設定モジュール及び／又は
前記キャッシュ領域のキャッシュ時間を、予め設定されたキャッシュ時間以下に設定し、前記予め設定されたキャッシュ時間は、前記モバイル端末の現在残存する記憶空間と、前記マルチメディア放送番組の空間最大占有率との比である第２の設定モジュール
をさらに含む請求項７に記載の装置。
【請求項９】
前記転送モジュールは、
前記マルチメディア放送番組の再生中、キャッシュ領域全体スタックキャッシュ方式で、前記マルチメディア放送番組の番組コンテンツをキャッシュに格納する第１のキャッシュサブモジュールと、
前記マルチメディア放送番組の再生中、分割型スタックキャッシュ方式で、前記マルチメディア放送番組の番組コンテンツをキャッシュに格納する第２のキャッシュサブモジュールと、
前記受信モジュールが前記録画コマンドを受信すると、前記第１のキャッシュサブモジュール又は第２のキャッシュサブモジュールに格納された番組コンテンツを、前記記憶装置に転送する転送サブモジュールとを含む
請求項７に記載の装置。
【請求項１０】
録画終了後、前記記憶装置に転送された番組コンテンツと、録画された後続の番組コンテンツとを、１ファイルに結合する結合モジュール
を更に含む請求項７に記載の装置。
【請求項１１】
前記マルチメディア放送番組の再生が終了した後、前記キャッシュ領域におけるキャッシュ空間を解放する解放モジュール
を更に含む請求項７〜１０のいずれか１項に記載の装置。
【請求項１２】
前記装置は、モバイル端末に内蔵される
請求項７に記載の装置。
【発明の詳細な説明】
【技術分野】
【０００１】
本発明は、マルチメディア技術分野に関し、特に、マルチメディア放送番組の録画（transcribe）方法及び装置に関する。
【背景技術】
【０００２】
電子技術の発展に伴い、個人消費される電子機器が日々改良されている。現在、個人消費される電子機器（モバイル端末等）には、ますます多くのマルチメディア機能（例えば、マルチメディア放送機能）が搭載されている。
【０００３】
モバイルテレビに代表されるようなモバイルマルチメディア放送技術が、近年、急速に発展している。現在、モバイル端末に応用されるモバイルマルチメディア放送システムには、主に２つの技術方向がある。１つは、モバイル通信セルラネットワークに基づくストリーミングメディア技術である。特に、３Ｇ及びその発展型技術により、セルラモバイル端末のインターネット接続速度が向上し、ユーザ体験が大いに向上する。中でも、典型的な技術（例えば、メディアフロー（Ｍｅｄｉａ  ＦＬＯ：Ｆｏｒｗａｒｄ  ｌｉｎｋ  ｏｎｌｙ））により、３Ｇネットワークに基づくモバイルマルチメディア放送システムが実現可能となる。もう１つは、放送ネットワークに基づく直接放送受信方式である。直接放送受信方式には、多くの技術規格が存在する。例えば、ヨーロッパのデジタルオーディオ規格として、ＤＶＢ−Ｈ（Ｄｉｇｉｔａｌ  Ｖｉｄｅｏ  Ｂｒｏａｄｃａｓｔｉｎｇ−Ｈａｎｄｉｎｇ）や、ＤＡＢ（Ｄｉｇｉｔａｌ  Ａｕｄｉｏ  Ｂｒｏａｄｃａｓｔ）から派生したＤＭＢ（Ｄｉｇｉｔａｌ  Ｍｅｄｉａ  Ｂｒｏａｄｃａｓｔｉｎｇ）がある。中国の地上デジタルテレビ業界規格として、ＣＭＭＢ（Ｃｈｉｎａ  Ｍｏｂｉｌｅ  Ｍｕｌｔｉｍｅｄｉａ  Ｂｒｏａｄｃａｓｔｉｎｇ）がある。これらの規格のシステムアーキテクチャはいずれも放送方式である一方、これらの規格の技術的差異は、主に、システム側のネットワークアーキテクチャ及びチャネルアーキテクチャなどのプロトコル層にある。
【０００４】
モバイル端末の待受時間による制限のため、モバイルマルチメディア放送サービスのユーザは、長時間オンラインでスタンバイ状態でいることができない。スタンバイ状態でないモバイル端末が、モバイルマルチメディア放送サービスを受信及び再生することができるようにするため、従来技術によれば、モバイルマルチメディア放送番組の録画機能が提供される。ユーザは、好みの番組を録画し、モバイル端末の記憶装置に記憶する。モバイルマルチメディアシステムの受信器の電源が切られた後、ユーザは、セルラネットワークデータサービス又は放送ネットワークに接続する必要なく、録画番組をモバイル端末で鑑賞することができる。これにより、端末の電力消費を抑え、ユーザのコストを抑え、ユーザ体験が向上する。
【発明の概要】
【発明が解決しようとする課題】
【０００５】
従来技術では、主にリアルタイム録画方式を用いてモバイルマルチメディア放送番組を録画するが、既存の録画方式には、一定の問題がある。
【０００６】
リアルタイム録画方式を用いた場合、ユーザは、録画の過程において、放送番組情報を事前に取得する必要はない。しかしながら、ユーザは、番組の初めの部分を鑑賞してから、番組を録画しようと決める。このため、マルチメディア番組の録画コンテンツは、最終的に、不完全なものとなる。
【課題を解決するための手段】
【０００７】
本発明の一実施形態に係るマルチメディア放送番組の録画方法は、
マルチメディア放送番組の再生中、録画コマンドを受信すると、モバイル端末に設けられたキャッシュ領域に格納された番組コンテンツを、モバイル端末の記憶装置に転送し、前記キャッシュ領域に格納された番組コンテンツは、前記録画コマンドを受信したときに再生されていた番組コンテンツであり、
前記マルチメディア放送番組の再生中の、後続の番組コンテンツを前記記憶装置に録画する。
【０００８】
本発明の一実施形態に係るマルチメディア放送番組の録画装置は、
マルチメディア放送番組の再生中、録画コマンドを受信する受信モジュールと、
前記受信モジュールが前記録画コマンドを受信すると、モバイル端末に設けられたキャッシュ領域に格納された番組コンテンツを、モバイル端末の記憶装置に転送し、前記キャッシュ領域に格納された番組コンテンツは、前記録画コマンドを受信したときに再生されていた番組コンテンツである転送モジュールと、
前記マルチメディア放送番組の再生中の、後続の番組コンテンツを前記記憶装置に録画する録画モジュールと
を含む。
【発明の効果】
【０００９】
本発明の実施形態において、再生された番組コンテンツを、予め設定されたキャッシュ領域に格納する。録画コマンドを受信すると、キャッシュ領域に格納された番組コンテンツを、モバイル端末の記憶装置に転送する。即ち、録画コマンドを受信すると、録画コマンドを受信したときに再生中であった番組コンテンツの一部又は全部をも、モバイル端末の記憶装置に記憶することができる。従来技術におけるリアルタイム録画方式と比べて、マルチメディア放送番組の録画が相対的に完全なものとなり、マルチメディア放送サービスのユーザ体験が向上する。
【図面の簡単な説明】
【００１０】
【図１】本発明の実施形態に係るマルチメディア放送番組の録画方法のフローチャートである。
【図２】本発明の実施形態に係るマルチメディア放送番組の録画方法の具体的な実施例のフローチャートである。
【図３】本発明の実施形態に係るマルチメディア放送番組の録画装置の第１の構造模式図である。
【図４】本発明の実施形態に係るマルチメディア放送番組の録画装置の第２の構造模式図である。
【図５】本発明の実施形態に係る転送モジュールの構造模式図である。
【図６】本発明の実施形態に係るマルチメディア放送番組の録画装置の第３の構造模式図である。
【図７】本発明の実施形態に係るマルチメディア放送番組の録画装置の第４の構造模式図である。
【発明を実施するための形態】
【００１１】
従来技術に係る録画過程においては、ユーザは、番組をしばらく鑑賞してから、番組を録画しようと決める。このため、マルチメディア番組の録画コンテンツは、最終的に、不完全なものとなる。この問題を解決するため、本発明の実施形態は、マルチメディア放送番組の録画方法を提供する。このマルチメディア放送番組の録画方法は、モバイル端末に適用される。録画過程において、モバイル端末がマルチメディア放送サービスを開始し、マルチメディア放送番組を再生すると、再生中のマルチメディア放送番組が、モバイル端末の記憶装置に録画される。具体的な処理プロセスは、図１に示すように、以下のステップを含む。
【００１２】
ステップ１０１では、録画コマンドを受信すると、モバイル端末に予め設定されたキャッシュ領域に格納された番組コンテンツを、モバイル端末の記憶装置に転送する。キャッシュ領域に格納された番組コンテンツは、録画コマンドを受信したときに再生されていた番組コンテンツである。
【００１３】
ステップ１０２では、マルチメディア放送番組で再生中の、後続の番組コンテンツをモバイル端末の記憶装置に録画する。
【００１４】
図１に示すプロセスのように、ステップ１０１を実行する際に、モバイル端末にキャッシュ領域が設定される。キャッシュ領域は、マルチメディア放送番組を再生中に、再生中の番組コンテンツを同期して記憶する。
【００１５】
実行中、キャッシュへの格納をスムーズに行うため、キャッシュ領域の属性の設定は、下記の条件を満たすのがよい。すなわち、キャッシュ領域におけるキャッシュ空間が、モバイル端末の現在残存する記憶空間以下である。これとともに、あるいは、これに代えて、キャッシュ領域のキャッシュ時間が、予め設定された記憶時間以下である。ここで、予め設定されたキャッシュ時間は、モバイル端末の現在残存する記憶空間と、マルチメディア放送番組の空間最大占有率との比である。即ち、キャッシュ時間≦（モバイル端末の現在残存する記憶空間／マルチメディア放送番組の空間最大占有率）となる。
【００１６】
一般的に、キャッシュ空間の単位はバイトであり、キャッシュ時間の単位は秒（ｓ）である。マルチメディア放送番組の空間最大占有率の単位は、バイト／秒である。
【００１７】
キャッシュ領域の設定については、モバイル端末に内蔵されたモバイルマルチメディア放送サービスをユーザが最初に起動するときに、ユーザが手動設定するようにしてもよい。あるいは、モバイル端末出荷後初めて電源が投入されたときに、ユーザが手動設定するようにしてもよい。設定完了後、モバイルマルチメディア放送サービスを次回起動するときに、設定が有効となる。あるいは、出荷前に、キャッシュ領域の関連属性を、予めモバイル端末に設定してもよい。あるいは、マルチメディア放送サービスを起動する前に毎回、実行中に、その都度再生されるマルチメディア放送番組の番組コンテンツ（例えば、番組が占有する記憶空間の大きさ）に応じて、キャッシュ領域の関連属性を設定してもよい。
【００１８】
予め設定されたキャッシュ領域に番組コンテンツを格納する場合、複数のキャッシュ方式がある。例えば、好ましいキャッシュ方式は、キャッシュ領域全体スタックキャッシュ方式（full caching area stack caching）である。この方式では、キャッシュ領域全体を完全な記憶空間とする。番組コンテンツを、順に当該記憶空間に格納する。番組コンテンツのサイズがキャッシュ空間を超える場合、時間順に従って、前に記憶されたコンテンツをオーバーフローさせる。一方、キャッシュ空間を超える番組コンテンツの一部を、キャッシュに格納する。例えば、キャッシュ空間が３０Ｍであり、現在再生中のマルチメディア放送番組が３５Ｍである場合、０〜５Ｍのコンテンツをオーバーフローさせ、３０〜３５Ｍのコンテンツをキャッシュに格納する。もう１つの好ましい記憶方式は、分割型スタックキャッシュ方式（block-based stack caching）である。即ち、キャッシュ領域を、複数のキャッシュブロックに分割する。各キャッシュブロックに番組コンテンツを格納する方法は、キャッシュ領域全体に番組コンテンツを格納する方法と同様である。番組コンテンツのサイズがキャッシュ空間を超える場合、時間順に従って、第１のキャッシュブロックに格納されたコンテンツを優先的に消去する。番組コンテンツは、第１のキャッシュブロック、続いて、第２のキャッシュブロック、第３のキャッシュブロック…第Ｎのキャッシュブロック…第１のキャッシュブロックに格納される。Ｎは自然数である。このプロセスは循環的に行われる。実行する際に、具体的な状況に応じて、他のキャッシュ方式が存在してもよい。
【００１９】
実行の際、ステップ１０１及びステップ１０２に係る記憶装置は、モバイル端末の本体メモリであってよいし、プラグインタイプの補助メモリであってもよい。プラグインタイプの補助メモリとしては、モバイルハードディスクドライブ、ユニバーサルシリアルバスフラッシュディスク（Ｕｎｉｖｅｒｓａｌ  Ｓｅｒｉａｌ  ＢＵＳ  ｆｌａｓｈ  ｄｉｓｋ：ＵＳＢフラッシュディスク）、光ディスクなどが挙げられる。
【００２０】
ステップ１０１から分かるように、実行する際に、再生された番組コンテンツを、予め設定されたキャッシュ領域に格納することができる。録画コマンドを受信すると、キャッシュ領域に格納された番組コンテンツを、モバイル端末の記憶装置に転送する。即ち、録画コマンドを受信すると、録画コマンドを受信したときに再生中であった番組コンテンツの一部又は全部をも、モバイル端末の記憶装置に記憶することができる。従来技術におけるリアルタイム録画方式と比べて、マルチメディア放送番組の録画が相対的に完全なものとなり、マルチメディア放送サービスのユーザ体験が向上する。
【００２１】
図１に示すプロセスのように、ステップ１０２を実行するとき、再生中の、後続の番組コンテンツを記憶装置に録画する。このとき、再生中のマルチメディア放送番組を、キャッシュ領域に格納し続けてもよい。もちろん、具体的な状況に応じて、再生中のマルチメディア放送番組を、キャッシュ領域に格納しなくてもよい。マルチメディア放送番組の録画が完了すると、記憶装置に転送された番組コンテンツのファイルと、録画された後続の番組コンテンツのファイルとを、１ファイルに結合する。即ち、２つのファイルを１つのファイルに結合する。これにより、ユーザ鑑賞の利便性が向上し、ユーザ体験が向上する。
【００２２】
実行中、モバイル端末がマルチメディア放送サービスを終了すると、モバイル端末は、予め設定されたキャッシュ領域の記憶空間を解放し、占有するシステムリソースを節約する。もちろん、マルチメディア放送サービスを終了する前に、１つのマルチメディア放送番組の録画に限られず、複数のマルチメディア放送番組を順番に録画してもよい。ただし、モバイル端末の記憶装置の記憶容量を超えない場合に限られる。
【００２３】
本発明の実施形態に係るマルチメディア放送番組の録画方法は、既存の放送方式に適用される。既存の放送方式としては、モバイル通信セルラネットワークに基づくストリーミングメディア方式や、放送ネットワークに基づく直接放送受信方式などがある。
【００２４】
また、現在広く適用されるタイマー録画と比べて、本発明の実施形態に係るマルチメディア放送番組の録画方法は、録画前に番組放送パラメータ情報を取得する必要がない。動作が簡単で、複雑性が低く、ユーザ体験が向上する。
【００２５】
具体的な一実施例を説明する。本実施例において、端末の記憶装置は、２Ｇバイトのフラッシュ（２ＧＢＴ−ｆｌａｓｈ）カードである。分割型動的記憶方式（block-based dynamic caching）を用いて、番組コンテンツをキャッシュに格納する。ユーザは、記憶時間を６０ｓに設定する。モバイル端末がモバイルマルチメディア放送番組を録画するフォーマットは、モバイル端末に一般に適用される、３Ｇストリーミングメディアのビデオコーディングフォーマットである。ビデオコーディングレートは、２２４ｋｂｐｓである。画面規格は、一般に適用される標準フォーマットＱＣＩＦ（Ｑｕａｒｔｅｒ  ｃｏｍｍｏｎ  ｉｎｔｅｒｍｅｄｉａｔｅ  ｆｏｒｍａｔ）（１７６×１４４）である。オーディオコーディングレートは、３２ｋである。オーディオビデオ総コーディングレートは、２５６Ｋｂｐｓである。キャッシュ空間のサイズは、以下の数式により計算される。
【００２６】
キャッシュ空間（ＭＢ）＝（オーディオビデオ総コーディングレート（Ｋｂｐｓ）／８）×キャッシュ時間（ｓ）／１０２４
【００２７】
前記パラメータを例とすると、キャッシュ空間は、１．８７５ＭＢと算出される。２ＧＢＴ−ｆｌａｓｈカードに記憶されたファイルがヌル（empty）である場合、当該モバイル端末に対して、６０ｓのキャッシュ設定条件が有効であると判断できる。
【００２８】
キャッシュ領域のブロック数を５に設定する場合、各記憶ユニットは、０．３７５ＭＢ（３Ｍｂｉｔ）である。これは、１２ｓの記憶時間に等価である。モバイルマルチメディア放送番組が開始した後、モバイル端末の処理プロセスは、図２に示すようになる。
【００２９】
ステップ２００では、ユーザがキャッシュ時間を６０ｓに設定する。
【００３０】
ステップ２０１では、モバイル端末が、番組コンテンツを動的にキャッシュに格納する。
【００３１】
ステップ２０２では、録画コマンドを受信すると、キャッシュ領域に格納された番組コンテンツを、モバイル端末の記憶装置に転送する。
【００３２】
ステップ２０３では、モバイル端末が、キャッシュファイルに基づいて、書き込み動作を行う。これにより、録画が完了するまで、現在再生中の番組コンテンツを録画する。
【００３３】
ステップ２０４では、モバイルマルチメディア放送サービスの再生を終了した後、キャッシュ領域中の１．８７５ＭＢの記憶空間を解放する。
【００３４】
ステップ２０１の実行中、各キャッシュブロックのサイズは、３Ｍｂｉｔに設定される。キャッシュデータが、全空間である１．８７５ＭＢを占有する。この後、第１のキャッシュブロックに格納された３Ｍｂｉｔの番組コンテンツを消去する。引き続き、キャッシュへの格納が行われる。続いて、第２、第３、第４、第５のキャッシュブロックに格納された番組コンテンツが、順次、新たな番組コンテンツに置き換えられる。その後、このプロセスが循環的に行われる。
【００３５】
同一の発明思想に基づき、本発明の実施形態によれば、マルチメディア放送番組の録画装置が更に提供される。マルチメディア放送番組の録画装置の具体的な構造は、図３に示すように、受信モジュール３０１と、転送モジュール３０２と、録画モジュール３０３とを含む。
【００３６】
受信モジュール３０１は、マルチメディア放送番組の再生中、録画コマンドを受信する。
【００３７】
転送モジュール３０２は、受信モジュール３０１が録画コマンドを受信すると、モバイル端末に予め設定されたキャッシュ領域に格納された番組コンテンツを、モバイル端末の記憶装置に転送する。キャッシュ領域に格納された番組コンテンツは、録画コマンドを受信したときに再生されていた番組コンテンツである。
【００３８】
録画モジュール３０３は、マルチメディア放送番組で再生中の、後続の番組コンテンツを記憶装置に録画する。
【００３９】
一実施形態において、図４に示す構造のように、マルチメディア放送番組の録画装置は、第１の設定モジュール４０１と、第２の設定モジュール４０２とを更に含む。
【００４０】
第１の設定モジュール４０１は、キャッシュ領域内のキャッシュ空間を、モバイル端末の現在残存する記憶空間以下に設定する。
【００４１】
第２の設定モジュール４０２は、キャッシュ領域のキャッシュ時間を、予め設定されたキャッシュ時間以下に設定する。予め設定されたキャッシュ時間は、モバイル端末の現在残存する記憶空間と、マルチメディア放送番組の空間最大占有率との比である。
【００４２】
一実施形態において、図５に示す構造のように、転送モジュール３０２は、第１のキャッシュサブモジュール５０１と、第２のキャッシュサブモジュール５０２と、転送サブモジュール５０３とを含んでもよい。
【００４３】
第１のキャッシュサブモジュール５０１は、マルチメディア放送番組の再生中、キャッシュ領域全体スタックキャッシュ方式で、マルチメディア放送番組の番組コンテンツをキャッシュに格納する。
【００４４】
第２のキャッシュサブモジュール５０２は、マルチメディア放送番組の再生中、分割型スタックキャッシュ方式で、マルチメディア放送番組の番組コンテンツをキャッシュに格納する。
【００４５】
転送サブモジュール５０３は、第１のキャッシュサブモジュール５０１又は第２のキャッシュサブモジュール５０２に格納された番組コンテンツを、記憶装置に転送する。
【００４６】
一実施形態において、図６に示す構造のように、マルチメディア放送番組の録画装置は、結合モジュール６０１を更に含む。
【００４７】
結合モジュール６０１は、録画終了後、記憶装置に転送された番組コンテンツのファイルと、録画された後続の番組コンテンツのファイルとを、１ファイルに結合する。
【００４８】
一実施形態において、図７に示す構造のように、マルチメディア放送番組の録画装置は、解放モジュール７０１を更に含む。
【００４９】
解放モジュール７０１は、マルチメディア放送番組の再生が終了した後、キャッシュ領域における記憶空間を解放する。
【００５０】
一実施形態において、図３に示す構造のように、マルチメディア放送番組の録画装置は、モバイル端末に内蔵される。
【００５１】
本発明の実施形態において、再生された番組コンテンツを、予め設定されたキャッシュ領域に格納する。録画コマンドを受信すると、キャッシュ領域に格納された番組コンテンツを、モバイル端末の記憶装置に転送する。即ち、録画コマンドを受信すると、録画コマンドを受信したときに再生中であった番組コンテンツの一部又は全部をも、モバイル端末の記憶装置に記憶することができる。従来技術におけるリアルタイム録画方式と比べて、マルチメディア放送番組の録画が相対的に完全なものとなり、マルチメディア放送サービスのユーザ体験が向上する。
【００５２】
更に、マルチメディア放送番組の録画が完了すると、記憶装置に転送された番組コンテンツのファイルと、録画された後続の番組コンテンツのファイルとを、１ファイルに結合する。これにより、ユーザの鑑賞の利便性が向上し、ユーザ体験が向上する。
【００５３】
更に、現在広く適用されるタイマー録画と比べて、本発明の実施形態に係るマルチメディア放送番組の録画方法は、録画前に、番組開始時間、番組終了時間などの詳細な番組放送パラメータ情報を取得する必要がない。動作が簡単で、複雑性が低く、ユーザ体験が向上する。
【００５４】
上記のものは本発明の好適な実施形態に過ぎず、本発明はこれに限定されず、種々の変更形態および変形形態が当業者によって可能である。また、特許請求の範囲に規定される本発明の精神及び範囲に逸脱しない限り、あらゆる変更、均等な代替物、および改良が可能であることを理解されたい。
【図１】
2013517715.tif 000003
【図２】
2013517715.tif 000004
【図３】
2013517715.tif 000005
【図４】
2013517715.tif 000006
【図５】
2013517715.tif 000007
【図６】
2013517715.tif 000008
【図７】
2013517715.tif 000009
【国際調査報告】
2013517715.tif 000010
2013517715.tif 000011
2013517715.tif 000012
2013517715.tif 000013
2013517715.tif 000014
2013517715.tif 000015